(57)【要約】【課題】  従来のカバン類は、内外側に小物携帯品を収納するためのポケットや収納部が多数設けられている。しかし、人々の生活様式も変わり、新たな生活用品が現れ、持ち歩く小物携帯品も多種多様に増えている。また、人々は個性的になり、好みに合った持ち物を携帯するようになった。このような変化の中で、カバン類に予め装備されているポケット類は、使用者の個性的な利便性に合っていない。【解決手段】  ボードと複数の多様なサイズのポケットからなる、カバン類の中に入れて、あるいは机上に置いて用いる携帯用小物入れである。ボードにはボード面に縦の切り込みが多数設けられ、各ポケットは左部及び右部に糊代を有してボードに固定される。多様なサイズのポケットの中から、使用者の使用頻度の高い携帯品に適合するポケットを、ボード面の取り出し易い位置に装着することができる。【選択図】図９
2009268578.tif 000002
【特許請求の範囲】
【請求項１】
紙、革、木もしくは合成樹脂製のボードと該ボードに装着する小物携帯品を入れるための複数の多様なサイズのポケットからなる携帯用小物入れであって、
該ボードにはボード面に縦の切り込みが縦一直線状に非連続に設けられ、該縦の切り込みと同寸法の縦の切り込みが横方向に平行に等ピッチで、該ボードの外周縁や把手部分を除いたボード面全域に設けられており、
前記複数の多様なサイズのポケットは各ポケットの左部及び右部に糊代を有し、該ポケットの左部及び右部の糊代が前記ボードの縦の切り込みに前記ボードの表側から差込まれ、該糊代が前記ボードの裏側で折り曲げられ、該糊代が前記ボードの裏面に固定されることを特徴とする携帯用小物入れ。
【請求項２】
請求項１記載の携帯用小物入れにおいて、
前記縦の切り込みの長さが５ｍｍから１００ｍｍの長さで設けられ、
該縦の切り込みと同寸法の縦の切り込みが横方向に平行に７ｍｍから５０ｍｍの等ピッチで設けられたことを特徴とする携帯用小物入れ。
【請求項３】
請求項１及び請求項２記載の携帯用小物入れにおいて、
前記縦の切り込みに加えて、
前記ボード面に横一直線状に横の切り込みが前記縦の切り込みと同じピッチに設けられ、該横の切り込みと同寸法の横の切り込みが縦方向に平行に等ピッチで、ボードの外周縁や把手部分を除いたボード面全域に設けられたことを、特徴とする携帯用小物入れ。
【請求項４】
請求項３記載の携帯用小物入れにおいて、
前記横の切り込みの長さが５ｍｍから４５ｍｍの長さで設けられ、
該横の切り込みと同寸法の横の切り込みが縦方向に平行に５ｍｍから５０ｍｍの等ピッチで設けられたことを特徴とする携帯用小物入れ。
【請求項５】
請求項１、請求項２、請求項３及び請求項４記載の携帯用小物入れにおいて、前記ポケットの前面に幅５ｍｍ以上２０ｍｍ以下、長さは幅の２倍以上５０ｍｍ以下の、指の一部を入れるための開口部が設けられたことを特徴とする携帯用小物入れ。
【請求項６】
請求項１、請求項２、請求項３、請求項４及び請求項５記載の携帯用小物入れにおいて、前記ポケットが半透明の合成樹脂で構築され、前記ボードが鋏で切断可能な厚みと硬さに構築され、該ボード二枚が背中合わせに一組として用いられ、該ボード二枚の上部は二枚が離れないように止め具で固定され、該ボード二枚の下部は二枚が少し離れて止まるように開き止め具が設けられ、
該ボード二枚が支えあって自立するように構築されたことを特徴とする携帯用小物入れ。
【発明の詳細な説明】
【技術分野】
【０００１】
本発明は、カバンやバッグの中に入れる小物携帯品を、カバンやバッグの中で、あるいは机上で、整理し収納するための携帯用小物入れである。
【背景技術】
【０００２】
従来からカバンやバッグはその内側や外側にメガネやチケットや小冊子等の小物携帯品を収納するためのポケットや収納部を備えている。
【０００３】
また、カバン類に補充的に配置して、小物を収納する小物収容具（特許文献１参照）などがあり、カバンやバッグのポケットや収納部の不便さを補完している。
【０００４】
【特許文献１】特開２００７−３０１４００号公報
【発明の開示】
【発明が解決しようとする課題】
【０００５】
従来のカバン、バッグ、リュックやランドセルなど（以下カバン類と記載する）には、内側や外側に小物携帯品を収納するためのポケットや収納部（以下ポケット類と記載する）が多数設けられている。
【０００６】
しかし最近、人々の生活様式も変わり、また従来にない様々な日常生活用品が現れ、人々はそれら生活用品を携帯するようになった。その結果、外出時に持ち歩く小物携帯品が多種多様に増えている。
また、人々は個性的になり、それぞれが自分の好みに合った持ち物、あるいは自分の個人的生活に合致する持ち物を携帯するようになっている。
【０００７】
例えば、最近増えてきた小物携帯品は、携帯電話、デジタルカメラ、携帯音楽プレイヤー、携帯ゲーム機、録音機などの電子機器類。
さらに個人的な生活用品としてコンタクトレンズやその補助用品、虫除け薬品、日焼け止め薬品、健康補助食品、花粉症対策の品々、等々である。
また、女性用化粧品や化粧用具類にいたっては数限りなく新製品が販売されている。
【０００８】
このように従来からの携帯品であるハンカチ、はながみ、財布、メガネ、定期券、筆記具等々に加えて、小物携帯品の種類も多種多様に増えている。また各個人が個性的になり携帯品の種類も個々人によって様々に異なっている。
【０００９】
このような社会的状況の変化の中で、カバン類に予め装備されているポケット類は、カバン類のメーカーが想定した一般的なカバン類の使用者の小物携帯品を想定したものであるため、最近では使用者の個性的な利便性に合っていない。
つまり、以下のような気がつきにくい不都合がある。
課題１、使用者の使用頻度の高い小物携帯品のポケットが取り出し易い位置にない。
課題２、別のカバン類を使用するとき、小物携帯品の出し入れに手間取る。
課題３、使用するカバンやバッグを換えた時に、ポケットの数、位置、サイズが異なるため、どのポケットに何の小物携帯品が入っているのか忘れてしまい易い。
課題４、小物携帯品の忘れ物や数量不足に気付きにくい。
課題５、カバン類にポケット類を設ける手間と費用が高い。
【００１０】
また、前記した、カバン類に補充的に配置して、小物を収納する小物収容具（特許文献１参照）などには次のような課題がある。
課題４、小物携帯品の忘れ物や数量不足に気付きにくい。
課題５、カバン類にポケットを設ける手間と費用が高い。
課題６、上記小物収容具はサイズが決められているため、カバン類の内部空間を有効に利用できない。
課題７、ポケットへ小物携帯品を入れにくい。ポケットから小物携帯品を取り出しにくい。
課題８、小物携帯品を机上で使いにくい。
【００１１】
本願発明は前記のような課題の解決を図ることを目的とし、人々のビジネスや学習の効率がよくなることを図っている。
【課題を解決するための手段】
【００１２】
本願発明は前記従来のカバン類に備えられた収納部の実状を鑑みて為されたものである。
【００１３】
本願発明の携帯用小物入れは、紙、革、木もしくは合成樹脂製のボードと該ボードに装着する小物携帯品を入れるための複数の多様なサイズのポケットからなる携帯用小物入れである。
該ボードにはボード面に長さが５ｍｍから１００ｍｍの縦の切り込みが縦一直線状に非連続に設けられ、該縦の切り込みと同寸法の縦の切り込みが横方向に平行に７ｍｍから５０ｍｍの等ピッチで、該ボードの外周縁や把手部分を除いたボード面全域に設けられている。
前記複数の多様なサイズのポケットは各ポケットの左部及び右部に糊代を有し、該ポケットの左部及び右部の糊代が前記ボードの縦の切り込みに前記ボードの表側から差込まれ、該糊代が前記ボードの裏側で折り曲げられ、該糊代が前記ボードの裏面に固定されることを特徴とする携帯用小物入れである。
【００１４】
上記のようにボードは紙、革、木もしくは合成樹脂製の板に切り込みを入れるだけであり、ポケットも紙や合成樹脂の箱に糊代を付加するだけであることから、ポケットを設ける手間が少なく費用も安くすることができる。
また、ポケットをボードに装着する方法も、糊代を切り込みに差し込み、ボードの裏側で折り曲げて、セロハンテープ等で固定するだけでよく、縫製などの手間がかからない。（課題５）
【００１５】
また、複数の多様なサイズのポケットの中から、自らの小物携帯品に適合するサイズのポケットを抽出し、該ポケットをボード面の前記縦の切り込みの設けてある域内の好適位置に配置し装着できる携帯用小物入れであるため、使用者の使用頻度の高い小物携帯品に適合するポケットを、ボード面の取り出し易い位置に装着することができる。（課題１）
【００１６】
前記縦の切り込みに加えて、
前記ボード面に横一直線状に５ｍｍから４５ｍｍの長さの横の切り込みが前記縦の切り込みと同じピッチに設けられ、該横の切り込みと同寸法の横の切り込みが縦方向に平行に５ｍｍから５０ｍｍの等ピッチで、ボードの外周縁や把手部分を除いたボード面全域に設けられたことで、図６に表されるように、一枚の紙や合成樹脂の材料を切り抜くだけで複数の多様なサイズのポケットを製作することが可能となり、さらにポケットを設ける手間を少なくすることができ、費用も安くすることができる。（課題５）
【００１７】
また、図８に表すように、ポケットの背面の素材（図７の符合７１）が不要になるため、ポケットへの小物携帯品の入れにくさが減る。また、ポケットの内容物の取り出しを容易にするために、前記ポケットの前面に幅５ｍｍ以上２０ｍｍ以下、長さは幅の２倍以上５０ｍｍ以下の、指の一部を入れるための開口部が設けられて、ポケットから小物携帯品を取り出し易い。（課題７）
【００１８】
また、本願発明の携帯用小物入れは、複数の多様なサイズのポケットが半透明の合成樹脂で構築され、ボードが鋏で切断可能な厚みと硬さに構築され、該ボード二枚が背中合わせに一組として用いられ、該ボード二枚の上部は二枚が離れないように止め具で固定され、該ボード二枚の下部は二枚が少し離れて止まるように開き止め具を設けられ、該ボード二枚が支えあって自立するように構築されて、机上でボードを自立させて使うことの出来る携帯用小物入れである。
【００１９】
ボードは鋏で切断可能な厚みと硬さに構築されていることから、カバン類の内部空間に合うような形状にボードを切り詰めることができ、カバン類の内部空間を有効に利用することができる。（課題６）
【００２０】
また、図９で表されるように、ボード９０に設けた把手１２を持って複数の多様なサイズのポケット９５に入った小物携帯品を一括して一度の動作でカバン類から取り出すことができる。別のカバンに携帯品を移すときや、机上に小物携帯品を取り出すときに手間がかからず便利である。（課題２）
【００２１】
上記のようにボード二枚が支えあって自立するように構築されて、机上でボードを自立させて使うことの出来ることから、外出先のテーブルや洗面台の上で小物携帯品を使うにも便利である。カバン類から取り出した小物類を散乱させることなく、整理された収納された状態にあるため、机上や洗面台を広く使うこともできる。（課題８）
【００２２】
また、ポケットが半透明の合成樹脂製で構築されているため、ポケットに入った小物携帯品が透けて見える。本願発明の携帯用小物入れのボードに設けられた把手を持って、あるいは携帯用小物入れを机上に置いて、小物携帯品全品を一度に見渡すことができ、忘れ物や、数量不足の品（例：たばこ、名刺、乾電池等）をすぐに気付くことができる。（課題４）
【００２３】
また、常用する小物携帯品一つ一つに、多様なサイズのポケットの中から適合するサイズのポケットを選出し、それらポケットをボードに装着することで、つまり、一つ一つの小物携帯品がボード上に住所を与えられることで、空のポケットの有無を確認すれば忘れ物の有無が一見で分かる。さらに、外出先ではカバン類の中を覗いたり掻き回したりすることなく、定められた住所のところに手を伸ばせばすぐに小物携帯品を取り出すことができるメリットがある。別のカバンを使用したときでも、どのポケットに何の小物携帯品が入っているのか忘れてしまって、あちこちのポケットの中を見ることもなくなる。（課題３）
【発明の効果】
【００２４】
本願発明の携帯用小物入れを使用することで以下のような効果がある。
・使用者の使用頻度の高い小物携帯品を、取り出し易い位置のポケットに入れることができる。
・別のカバン類を使用するとき、小物携帯品の出し入れが容易になる。
・どのポケットに何の小物携帯品が入っているのか覚えやすい。
・小物携帯品の忘れ物や数量不足に気付き易い。
・カバン類にポケット類を設ける費用が安くなる。
・カバン類の内部空間を有効に利用できる。
・ポケットへ小物携帯品を出し入れするのが用意になる。
・机上でも小物携帯品を使い易い。
【発明を実施するための最良の形態】
【００２５】
以下図面を参照にしながら本願発明の好適な実施の形態を詳細に説明する。
【実施例】
【００２６】
本願発明の携帯用小物入れは以下に説明されるボードと複数の多様なサイズのポケットとは分離された状態で本願発明の携帯用小物入れの使用者の手元に届き、該使用者が多様なサイズのポケットの中から自らの小物携帯品に適合するサイズのポケットを抽出し、該ポケットをボード面の縦の切り込みの設けてある域内の自ら定める好適位置に配置し装着することが、最適な形態である。
【００２７】
図１は本願発明の携帯用小物入れのボードの正面図である。
ボード１にはボード面に縦の切り込み２が縦一直線状に非連続に設けられ、該縦の切り込みと同寸法の縦の切り込みが横方向に平行に等ピッチで、該ボードの外周縁１３や把手部分１２を除いたボード面全域に設けられている。
【００２８】
実施例である図１を具体的に述べると、ボード１には、ボード面には長さ１００ｍｍの縦の切り込み（ａ１）３、長さ８０ｍｍの縦の切り込み（ａ２）４、長さ１００ｍｍの縦の切り込み（ａ３）５が縦一直線状に非連続に設けられ、それらの縦の切り込みと同寸法の縦の切り込みである、縦の切り込み（ｂ１）６、縦の切り込み（ｂ２）７、縦の切り込み（ｂ３）８が横方向に平行に４０ｍｍのピッチで設けられ、同様に縦の切り込み（ｎ１）９、縦の切り込み（ｎ２）１０、縦の切り込み（ｎ３）１１等の縦の切込みが横方向に平行に４０ｍｍの等ピッチで、ボードの外周縁１３や把手部分１２を除いたボード面全域に設けられている。
【００２９】
縦の切り込みの長さと配置に関して、ボード１はボード面に縦の切り込みの長さが、手先が器用でない人でも扱えるポケットの糊代の最小幅である５ｍｍからＡ３サイズのボードの縦長２９７ｍｍを三分割した時の長さ１００ｍｍの長さで縦の切込みが縦一直線状に非連続に設けられ、
該縦の切り込みと同寸法の縦の切り込みが横方向に平行に、鉛筆の太さと同じ７ｍｍから指輪や消しゴムを取り出し易いポケットの最大幅である５０ｍｍの等ピッチで設けられたボードである。
【００３０】
縦の切り込みの長さは、該切り込みに差し込むポケットの糊代の幅と、ボードの剛性によって適切な長さが定められる。
ポケットの糊代の幅は小さいほど、多様なサイズのポケットを小刻みな寸法で構築することができる。しかし、糊代の幅が小さ過ぎると糊代が切れやすくなる。また、糊代の幅が５ｍｍより小さいと、糊代をボードの切り込みに差し込み、ボードの裏側で固定する作業が、細かい作業となり、手先の器用さが必要となる。そのため、糊代の最小幅である５ｍｍが縦の切り込みの長さの最小長として限界である。
【００３１】
縦の切り込みの長さが長いとポケットの糊代の幅を大きくすることができ、ボードにポケットを装着する作業が容易となる。しかし、縦の切り込みの長さが長過ぎると、ボードの剛性が弱くなり、ポケットとポケット内部の小物携帯品の重量でボードが撓み、ボードが扱いにくくなる。Ａ３サイズのボードを横に使った場合、縦の寸法は２９７ｍｍである。縦の寸法２９７ｍｍの中で、二つの縦の切り込みを設けた場合、２９７ｍｍ÷２≒１５０ｍｍとなり、縦の切込みが長過ぎてボードが撓む恐れがある。三つの縦の切込みを設けた場合には２９７ｍｍ÷３≒１００ｍｍであり、ポケットとポケット内部の小物携帯品の重量でボードが撓む恐れが少ない。よって、一つの縦の切り込みの最大長さは１００ｍｍが限界である。
【００３２】
縦の切り込みの横方向の間隔（ピッチ）は、多様なサイズのポケットを揃えるときのポケットの横幅のサイズの刻みを決めることと同じである。
最小幅の小物携帯品を鉛筆やボールペンと想定して、縦の切り込みの横方向の最小の間隔は鉛筆の太さである７ｍｍが十分狭い間隔である。ポケットの横幅は７ｍｍ以上大きくとも鉛筆を入れることはできるが、つまり、多様なサイズのポケットの横幅を７ｍｍ刻みのサイズで揃えることができることになる。しかし、ボードの剛性が不足するとポケットの重みでボードが撓む。
また、指輪や消しゴムなどの小さい物をポケットに入れたときすぐに見つけることのできるポケットの幅は５０ｍｍ程度が限度である。これ以上ポケットの幅が大きくなるとポケットの中の指輪のような小さいものは、目でも手探りでも見つけにくい。このことから、縦の切り込みの横方向の最大の間隔は５０ｍｍが限界である。それ以上間隔が広がるとポケットの横幅が大きくなるか無用な空間ができてしまう。
【００３３】
一つ一つの縦の切り込みの長さを前記実施例より短く設定すれば、縦一直線状に配置する縦の切り込みの数は前記実施例より多くなる。また同様に、横方向の等ピッチの間隔を狭めると平行に設ける縦一直線状に配置する縦の切り込みの数はより多くなる。
縦の切り込みの長さと配置は、使用するボードやポケットの材質、厚さ、剛性などと、前記説明したような本願発明の携帯用小物入れの使い易さの範囲などから定められる。
【００３４】
ボード１は紙、革、木あるいは合成樹脂製であり、鋏で切断が可能な硬さと厚みで構築される。ボードの大きさはＢ６版サイズからＡ３版サイズの範囲が実用的である。ボードは素材の板に切り込みを設けるだけであるため、手間をかけず極めて安く製品化されることができる。
ボード１には把手部分１２として、指が通る程度の穴が設けられ、本願発明の携帯用小物入れの取り扱いに便利である。穴の代わりに紐等を取り付けて、ボードを紐等で吊り下げて取り扱う方法でもよい。
【００３５】
図２に表すポケットは、本願発明の多様なサイズのポケットの一例の斜視図である。
ポケット２１の左部及び右部に糊代２２を有し、該ポケットの左部の糊代２３及び右部の糊代２４が前記ボード１の縦の切り込み２に表側から差込まれ、該糊代２２が前記ボード１の裏側で折り曲げられ、該糊代２２が前記ボード１の裏面に固定される方法でポケット２１がボード１に装着される。
【００３６】
ポケットは合成樹脂製の半透明の素材を用いることが、ポケット内の小物の有無を外観から確認することができ、好適である。ポケット２１は紙、布、革製であってもよい。ポケットの素材の厚みは１ｍｍ以下の薄くて丈夫な物がよい。
図２のポケットは一例としてのデジタルカメラを入れるためのポケットを表している。ポケットは携帯する小物携帯品のサイズに合わせて高さ、幅、まち（厚み）の異なる多様なサイズを揃える。印鑑や鍵など重要な小物を入れるポケットにはふたがあってもよい。
【００３７】
多様なサイズのポケットは、ポケットの幅、高さ、厚みのサイズを適度な刻みで設け、それらのサイズの組み合わせの違いで多様なサイズのポケットが構築される。
【００３８】
ポケットの最小幅は鉛筆程度（約７ｍｍ）であり、最大幅は折りたたみ傘を横に置いた程度（約２００ｍｍ）である。
また、ポケットは指輪等の小物を入れるために幅５０ｍｍ以下のポケットを揃える必要がある。
ポケットの最小高さは指輪や消しゴム程度（約１０ｍｍ）であり、最大高さは折りたたみ傘を縦にした程度（約２００ｍｍ）である。
また、ポケットの最小厚（まち）は定期券を入れる程度（まちは不要）であり、最大厚は単一乾電池や折りたたみ傘の太さ程度（約４０ｍｍ）である。
【００３９】
図２で表されているように、本願発明で使用するポケットはキャラメルやチョコレートの箱と同程度に簡単な構造であるゆえ、紙や合成樹脂を用いて製作すれば、多様なサイズのポケットを製作する費用は極めて安い。また、ポケットを取り付ける手間も、ボードに設けられた切込みにポケットの糊代を差込み、折り曲げて、セロハンテープで止めるだけであるので、手間がかからない。よって、本願発明の携帯用小物入れは、複数のポケットを装備しても手間も少なく、費用も安い。
【００４０】
糊代の形状は幅狭く長い形状、幅広く短い形状、あるいは糊代の数が多数あってもよい。しかし、糊代の幅があまりに細くなると切れやすくなる。また糊代の幅が５ｍｍより細くなると、ポケットをボードに装着する作業が手先の器用な人でないとできない。
ポケットは各ポケットの左部及び右部にそれぞれ一つ以上の糊代を有す必要がある。
【００４１】
図３は本願発明の携帯用小物入れのボード１を裏側から見た説明図であり、一つのポケットをボードに装着した状態を表している。
糊代２２はボード１の裏側で折り曲げられて、セロハンテープ３０によってボード１に固定されている。セロハンテープ以外の粘着テープを用いてもよい。あるいは接着剤等を用いて糊代２２をボード１の裏面に固定してもよい。
【００４２】
ポケットの横幅と縦の切り込みの位置が必ずしも合致しなくとも、糊代の長さが十分に長ければ糊代をボードの縦の切り込みに差し込み、ボードの裏側で固定することが可能である。
ポケットを隣り合わせに隙間なく並べても、縦の切込みには隣り合ったポケットの糊代を重ねて差し込むことができる。また、セロハンテープや接着剤を使って糊代二枚を重ねたまま固定することもできる。
上記の方法によって、ポケットが重なり合わないように、ポケットがボードからはみ出さないように配慮しながら、
多様なサイズのポケットの中から小物携帯品に適合するサイズのポケットを抽出し、該ポケットをボード面の前記縦の切り込みの設けてある域内の好適位置に配置し装着することができる。
【００４３】
図４は本願発明の携帯用小物入れの説明図である。
図４では、ボードの左上にデジタルカメラ用のポケット４１が装着されているが、該ポケットは左下Ｂ４３、右上Ｃ４４、右下Ｄ４５、あるいはボードの中央部分Ｎ４６の位置など、ボード面の前記縦の切り込みの設けてある域内の好適位置に配置され装着されることができる。
また、左上には別のサイズのポケットを装着することができる。例えば大きい手帳用のサイズのポケットや小さい鍵用のサイズのポケットを装着することもできる。
【００４４】
カバン類の形状によって、どの位置が小物携帯品を取り出し易い位置かが決まる。また、カバン類を使用する個人によって、どの小物携帯品を取り出し易い位置に収納するかが決まる。使用者の使用頻度の高い小物携帯品のポケットを取り出し易い位置に配置することができるのが本願発明の携帯用小物入れである。
【００４５】
図５は本願発明の携帯用小物入れの別の形態のボードの正面図である。
前記縦の切り込みに加えて、
ボード５０のボード面に横一直線状に横の切り込み５１が前記縦の切り込み２と同じピッチに設けられ、該横の切り込みと同寸法の横の切り込みが縦方向に平行に等ピッチで、ボードの外周縁や把手部分を除いたボード面全域に設けられている。
【００４６】
図５は具体的に、（ただし、ここでは切り込みの幅を１ｍｍ程度としている。）ボード５０のボード面に長さ１０ｍｍの縦の切込み５２が縦一直線状に非連続に１０ｍｍ間隔で設けられており、それらの切り込みと同寸法の縦の切込みが横方向に平行に１５ｍｍの等ピッチで外周縁や把手部分を除いたボード面全域に設けられ、
加えて、横一直線状に長さ８ｍｍの横の切り込み５３が前記縦の切り込み５２と同じ１５ｍｍの等ピッチで設けられ、それら横の切り込みと同寸法の横の切込みが縦方向に平行に２０ｍｍの等ピッチで外周縁や把手部分を除いたボード面全域に設けられたボードである。
このように規則的に横方向の切込み５３をボードに加えることによって、後記するように、ボードに装着する多様なサイズのポケットの形態をより簡単にすることができ、ポケットをより安く手間をかけずに製作することができる。
【００４７】
前記横の切り込みの長さは、手先が器用でない人でも扱えるポケットの糊代の最小幅である５ｍｍから、４５ｍｍの間の長さで設けられている。
また、該横の切り込みと同寸法の横の切り込みが縦方向に平行に、縦の切り込みの最小長さである５ｍｍから、Ａ４サイズのボードを横に用いた場合の高さの四等分である５０ｍｍの等ピッチで設けられたボードである。
【００４８】
横の切り込みの最小長さは、ポケットの糊代の最小幅５ｍｍより短くすると、糊代が切り込みに差し込めなくなるので、５ｍｍを限界とする。
また、横の切り込みの最大長は、縦の切り込みと同寸法の縦の切り込みが横方向に平行に等ピッチ設けられたときの最大ピッチが５０ｍｍであることから、横の切り込み相互の間隔５ｍｍを控除した４５ｍｍが限度である。
【００４９】
ボードに設けられる横の切り込みの縦方向のピッチは、細かければ細かいほど、ポケットをボードに取り付ける場合の、高さ的位置の選択肢がふえる。しかし、必要以上に細かくすることはない。
縦の切り込みの最小長さが５ｍｍであることから、横の切り込みと同寸法の横の切り込みが縦方向に平行に５ｍｍの等ピッチで設けられれば十分に細かいピッチであり、限度である。
また、Ａ４サイズのボードを横に用いた場合（高さ２１０ｍｍ）、ポケットの取り付け高さ的位置は少なくとも４段階の選択肢が必要である。２１０ｍｍ÷４≒５０ｍｍである。すなわち、横の切り込みと同寸法の横の切り込みが縦方向に平行に、最大５０ｍｍの等ピッチ設けられる必要がある。
【００５０】
図６は本願発明の携帯用小物入れの別の形態のポケットの展開図である。
図５ようにボードに縦の切込みに加えて横の切込みを設け、さらにポケットの底部に糊代６４を設けることで、ポケットは図６に表されるような形状に素材を切り抜き折り曲げるだけで、底部から物が落ちないでポケットとして機能を満足する別な携帯のポケットができる。  
別な形態のポケット６１は、折り曲げ位置６５で折り曲げて、ポケットの左部の糊代６２とポケットの右部の糊代６３をボードの縦の切り込みに差し込み、ポケットの底部の糊代６４をボードの横の切り込みに差し込み、それぞれの糊代をボードの裏側で折り曲げて、ボードの裏面に固定することでポケットをボードに装着することができる。
このようにポケットを箱状に加工する必要がないため非常に安くポケットを製作することができる。
【００５１】
図７は本願発明の箱状のポケット２１をボード１に装着した状態の使用状況説明図（断面図）である。
カバン類の中は狭く、ポケットも小さく薄い。そのため、箱状のポケットをボードに装着した場合には、小物携帯品を箱状のポケットの中に入れる時に、その小物携帯品がポケットの背面７１の素材の上部７２に当たる。また、箱状のポケットから小物携帯品を取り出す時には、指をポケットの中に差し入れるが、指や爪がポケットの背面の素材の上部７２やポケットの前面の素材の上部７３に当たるため、わずらわしい。またその時、指や爪のつけねの皮膚を傷つける恐れもある。
【００５２】
図８は本願発明の携帯用小物入れの別な形態のポケットの使用状況説明図（断面図）である。図７に表される箱状のポケットと異なりポケットの背面７１の素材が無いため、小物携帯品の出し入れが容易である。
【００５３】
本願発明の携帯用小物入れはカバン類の中に入れて用いられる機会が多い。カバン類の中は暗くて狭い。そのため、カバン類の中の小さいポケットの中の小物携帯品を取り出すときに、指がポケットの素材にあたり、指や爪のつけねの皮膚を傷つける恐れがある。
【００５４】
図６の開口部６８はポケットの内容物の取り出しを容易にするために、ポケットの前面に幅５ｍｍ以上２０ｍｍ以下、長さは幅の２倍以上５０ｍｍ以下の、指の一部を入れるための開口部である。
開口部の幅が２０ｍｍは指一本が開口部からポケットに入るサイズであり、指でポケット内部の小物携帯品をポケットの上部に持ち上げることができる。
また、開口部の幅が５ｍｍあれば、小物携帯品が定期券や印鑑などの軽いものであれば、開口部の隙間から指の腹や爪を小物携帯品に押しあてて、ポケット内部の小物携帯品をポケットの上部に持ち上げることができる。
【００５５】
小物携帯品をポケットの上部に持ち上げるために、開口部の長さは少なくとも幅の２倍以上必要である。しかし開口部の長さがあまり長いと、ポケット内部の小物携帯品が開口部からこぼれ出る恐れがある。開口部の長さはポケットの中に入れる小物携帯品の大きさと形状とからポケット毎に定められるべきである。最大でも５０ｍｍの長さがあれば十分である。まち（厚み）のない定期券等を入れるポケットであっても５０ｍｍの指を動かすストロークがあれば定期券を取り出すことができる。また、ポケットの中に入れる小物携帯品が小さくて、開口部をあまり長くできない場合には、図６で表すように、二つ以上の開口部を上下にずらして配置し、人差し指、中指と連動して開口部に動作をするとよい。
【００５６】
図９は本願発明の携帯用小物入れの使用状況説明図である。
複数の多様なサイズのポケット９５は半透明の合成樹脂で構築され、ボード９０は鋏で切断可能な厚みと硬さに構築され、該ボード二枚を背中合わせに一組として用いられ、該ボード二枚の上部は二枚が離れないように止め具９１で固定され、該ボード二枚の下部は二枚が少し離れて止まるように開き止め具９２が設けられ、該ボード二枚が支えあって自立するように構築され、机上で便利に利用することが出来る携帯用小物入れである。
【００５７】
二枚目のボード９３はボードを背中合わせに使用しているので、ボードの裏側が見えている。二枚目のボード９３の表側にも複数の多様なサイズのポケットが装着可能である。図では、ボードの裏面に見える糊代やセロハンテープの表示は省略されている。
止め具９１は二枚のボードを蝶番のように閉じたり開いたりできる必要がある。止め具９１は金具でもよいし、二枚のボードを紐で結ぶだけでもよい。
開き止め具９２は紐や糸で十分に機能する。
ボード９０は鋏で切断可能であるため、カバン類から出し入れし易いように角を丸く切ることもでき、またカバン類の内部の寸法に合わせて切り詰めることができる。つまり、カバン類の内部空間を有効に利用することができる。
ボードの切り詰められた部分は粘着テープ９４等で切り口を補強するとよい。
【００５８】
本願発明の携帯用小物入れは、把手１２を持って数多くの小物携帯品を一度の動作でカバンやバッグから出したり入れたりすることができる。このため朝の忙しい時等の小物携帯品の扱いに便利である。また、通勤用カバンから出張用カバンに小物を移す等のときに便利である。
【００５９】
また、図９に表すように、机上に自立させて、携帯した小物を取り出し易く便利に使うことができる。
さらにカバン類から取り出した小物類を机上に散乱させることなく、机上に整理され収納された状態であるので、机上を広く使うことができる。
また、ポケットの材質を半透明の合成樹脂製あるいは内容が透けて見えるメッシュ製を用いることで、小物携帯品全品を一度に見渡すことができ、忘れ物や、数量不足の品（例：たばこ、名刺、飲み薬等）をすぐに気付くことができる。
【００６０】
また、小物携帯品にそれぞれ適合するサイズのポケットを割り付けることで、つまり、一つ一つの小物携帯品に住所を与えることで、空のポケットの有無を確認すれば忘れ物の有無が一見で分かる。さらに、外出先ではカバン類の中を覗いたり掻き回したりすることなく、定められた住所のところに手を伸ばせばすぐに小物携帯品を取り出すことができるメリットがある。
【図面の簡単な説明】
【００６１】
【図１】本願発明の携帯用小物入れのボードの正面図
【図２】本願発明の携帯用小物入れのポケットの一例の斜視図
【図３】本願発明の携帯用小物入れのボードを裏側から見た説明図
【図４】本願発明の携帯用小物入れの説明図
【図５】本願発明の携帯用小物入れの別の形態のボードの正面図
【図６】本願発明の携帯用小物入れの別の形態のポケットの展開図
【図７】ポケットの使用状況説明図１
【図８】ポケットの使用状況説明図２
【図９】本願発明の携帯用小物入れの使用状況説明図
【符号の説明】
【００６２】
１  ボード
２  縦の切り込み
３  縦の切り込みａ１
４  縦の切り込みａ２
５  縦の切り込みａ３
６  縦の切り込みｂ１
７  縦の切り込みｂ２
８  縦の切り込みｂ３
９  縦の切り込みｎ１
１０  縦の切り込みｎ２
１１  縦の切り込みｎ３
１２  把手
１３  外周縁
２１  ポケット
２２  糊代
２３  ポケットの左部の糊代
２４  ポケットの右部の糊代
２５  糊代の幅を表す
２６  糊代の長さを表す
２７  ポケットの幅を表す
２８  ポケットの高さを表す
２９  ポケットの厚み（まち）を表す
３０  セロハンテープ
４１  デジタルカメラを入れるポケット
４２  折りたたみ傘を入れるポケット
４３  ボードの左下位置を表す符号
４４  ボードの右上位置を表す符号
４５  ボードの右下位置を表す符号
４６  ボードの中央部位置を表す符号
５０  別な形態のボード
５１  横の切り込み
５２  長さ１０ｍｍの縦の切り込み
５３  長さ８ｍｍの横の切り込み
６１  別の形態のポケット
６２  ポケットの左部の糊代
６３  ポケットの右部の糊代
６４  ポケットの底部の糊代
６５  折り曲げ位置
６６  ポケットの前面
６７  ポケットの厚み（まち）
６８  開口部
６９  開口部の幅
７０  開口部の長さ
７１  ポケットの背面
７２  ポケットの背面の上部
７３  ポケットの前面の上部
８１  縦の切り込みと横の切込みを備えたボード
８２  指
８３  小物携帯品
９０  使用状態のボード
９１  止め具
９２  開き止め具
９３  二枚目のボード
９４  ボードの切り詰められた部分の補強の粘着テープ
９５  半透明の素材のポケット
【図１】
2009268578.tif 000003
【図２】
2009268578.tif 000004
【図３】
2009268578.tif 000005
【図４】
2009268578.tif 000006
【図５】
2009268578.tif 000007
【図６】
2009268578.tif 000008
【図７】
2009268578.tif 000009
【図８】
2009268578.tif 000010
【図９】
2009268578.tif 000011